(57)【要約】      （修正有）【課題】蓋を開閉するごとに有意の言語情報を出力して携帯者に有益な情報を付与し、あるいは携帯者が種々の事柄を簡単に録音できて必要時に再生することによりメモ帳代わりに使用できる携帯容器を提供する。【解決手段】断面をハート形状となし菓子、薬剤その他の小物類を収納する容器本体と、同じく断面をハート形状となす蓋とからなり、蓋又は容器本体のいずれかに蓋の開閉によりオン・オフされるスイッチング手段２５、２６を有する音響録音再生装置４が設けられ、音響録音再生装置はマイクロフォンとスピ−カ−とに兼用できる音響入出力器２１と半導体メモリ回路２２とを有し、録音操作によって音響入出力器から出力される音響信号を半導体メモリ回路に記録させる録音手段と、蓋のオープンに応動して半導体メモリ回路より音響信号を読み出し音響入出力器から音響出力させる再生手段とを備える。【選択図】図３
0003199036.tif 000002
【実用新案登録請求の範囲】
【請求項１】
断面をハート形状となし菓子、薬剤その他の小物類を収納する容器本体と同じく断面をハート形状となす蓋とからなり、蓋又は容器本体のいずれかには前記蓋の開閉によりスイッチのオン・オフがなされるスイッチング手段を有する録音再生装置が設けられていて、この録音再生装置はスピーカーと、前記蓋のスイッチングにより上記半導体メモリ回路に記録された音響信号を読み出してスピーカーより音響出力させ、又は音響出力を停止する再生手段とにより構成したことを特徴とする携帯容器。
【請求項２】
請求項１記載の携帯容器において、半導体メモリ回路には収納される菓子の商品情報又は薬剤の服用確認の喚起情報が記録されていて蓋の開け閉めにより前記情報がスピーカーより出力されるようにしたことを特徴とする携帯容器。
【請求項３】
断面をハート形状となし菓子、薬剤その他の小物類を収納する容器本体と同じく断面をハート形状となす蓋とからなり、蓋又は容器本体のいずれかには前記蓋の開閉によりスイッチのオン・オフがなされるスイッチング手段を有する音響録音再生装置が設けられていて、この音響録音再生装置はマイクロフォンとスピ−カ−とに兼用できる音響入出力器と半導体メモリ回路とを有し、録音操作によって音響入出力器から出力される音響信号を半導体メモリ回路に記録させる録音手段と、蓋のオープンに応動して上記半導体メモリ回路より音響信号を読み出し音響入出力器から音響出力させる再生手段とにより構成したことを特徴とする携帯容器。
【請求項４】
請求項３記載の携帯容器において、半導体メモリ回路には予め年月日情報が記録されており、さらにこの年月日情報に続いて録音領域が設定されていて再生手段のスイッチオン時に年月日情報が出力され続いて記録すべき情報を録音手段に入力できるようにしたことを特徴とする携帯容器。  
【請求項５】
請求項１ないし４いずれか記載の携帯容器において、蓋はヒンジにより容器本体に対して開閉自在に支持され、ヒンジに対向する位置には蓋のロック手段が設けられ、このロック手段は容器本体の外側に形成した突起と蓋の内壁において前記突起に対向する位置に形成した凹突起とにより構成したことを特徴とする携帯容器。
【考案の詳細な説明】
【技術分野】
【０００１】
本願考案は、菓子類、薬剤類、粒状物、粉状物の携帯容器に関し、詳しくは、容器本体と蓋からなり、容器本体の底部には蓋の開閉によりスイッチのオン・オフがなされるスイッチング手段を有する録音再生装置又は音響録音再生装置を具えて、メモ代わりにするなど種々の用途が可能である携帯用小型容器に関するものである。
【背景技術】
【０００２】
従来の菓子類あるいは薬剤などの小物類のための小型容器は種々知られている。これらは、キャンディ、ミント類、薬剤その他、小粒状のものあるいは他の小物類を収納して携帯するタイプのものである。  そして、簡単な録再装置を具えて、蓋の開閉によりメロディーが再生されるようにしたものや簡単な録音をできるようにしたものなどがある。
なお、本願考案と関連する技術が次の文献において開示されている。
【特許文献１】実用新案登録第３００００６０２号公報
【考案の開示】
【考案が解決しようとする課題】
【０００３】
本願考案の目的ないし課題は、蓋の開閉するごとに有意の言語情報を出力して携帯者に有益な情報を付与したり、あるいは携帯者が種々の事柄を簡単に録音できて必要時に再生することにより携帯容器をメモ帳代わりに使用できる携帯容器の提供にある。
【課題を解決するための手段】
【０００４】
本願考案、断面をハート形状となし菓子、薬剤その他の小物類を収納する容器本体と同じく断面をハート形状となす蓋とからなり、蓋又は容器本体のいずれかには前記蓋の開閉によりスイッチのオン・オフがなされるスイッチング手段を有する録音再生装置が設けられていて、この録音再生装置はスピーカーと、前記蓋のスイッチングにより上記半導体メモリ回路に記録された音響信号を読み出してスピーカーより音響出力させ、又は音響出力を停止する再生手段とにより構成した携帯容器を提供して上記従来の課題を解決する。
【０００５】
また、段落０００４記載の携帯容器において、半導体メモリ回路には収納される菓子の商品情報又は薬剤の服用確認の喚起情報が記録されていて蓋の開け閉めにより前記情報がスピーカーより出力されるように構成することがある。
【０００６】
本願考案はまた、断面をハート形状となし菓子、薬剤その他の小物類を収納する容器本体と同じく断面をハート形状となす蓋とからなり、蓋又は容器本体のいずれかには前記蓋の開閉によりスイッチのオン・オフがなされるスイッチング手段を有する音響録音再生装置が設けられていて、この音響録音再生装置はマイクロフォンとスピ−カ−とに兼用できる音響入出力器と半導体メモリ回路とを有し、録音操作によって音響入出力器から出力される音響信号を半導体メモリ回路に記録させる録音手段と、蓋のオープンに応動して上記半導体メモリ回路より音響信号を読み出し音響入出力器から音響出力させる再生手段とにより構成した携帯容器を実現して上記従来の課題を解決する。
【０００７】
さらに、段落０００６記載の携帯容器において、半導体メモリ回路には予め年月日情報が記録されており、さらにこの年月日情報に続いて録音領域が設定されていて再生手段のスイッチオン時に年月日情報が出力され続いて記録すべき情報を録音手段に入力できるように構成することがある。  
【０００８】
また、段落０００４ないし０００７いずれかの携帯容器において、蓋はヒンジにより容器本体に対して開閉自在に支持され、ヒンジに対向する位置には蓋のロック手段が設けられ、このロック手段は容器本体の外側に形成した突起と蓋の内壁において前記突起に対向する位置に形成した凹突起とにより構成することがある。
【考案の効果】
【０００９】
本願考案にあっては上記構成により、蓋を開閉するごとに有意の言語情が自動的に出力されて携帯者は有益な情報を得ることができ、あるいは携帯者は種々の事柄を口述して内容を簡単に録音し必要時に再生することにより携帯容器をメモ帳代わりに使用できるという効果を奏する。
【実施例】
【００１０】
次に、図面により本願考案の１実施例を説明する。  図１は、蓋を閉じた状態にある携帯容器の斜視図である。  図において、１はアルミ薄板で形成した立体的なハート形状を有する携帯容器であり、２は容器本体、３はこの容器本体に嵌まりあった蓋である。この蓋３の内部には後述するように録音再生装置４が設けられている。
【００１１】
図２は、蓋３を開いた状態にある携帯容器１の斜視図である。蓋３はロック手段に対する指先などによる押圧力により開くようになっている。前記のように、蓋３の内部には録音再生装置４が収納されており、３aは内部のスピーカーに対応した位置に形成された開口部で、再生されてスピーカーから出力される音声などの透過を良好にする。
【００１２】
図３は、蓋３の中に収納された請求項１の実施例に係る前記録音再生装置４を示す回路図である。  図において、２１はスピーカー、２２はDRAMその他の半導体メモリ回路であり、２０秒前後の録音再生機能を有していて、ここから記録信号が読み出されて前記スピーカー２１から出力される。
【００１３】
すなわち、前記半導体メモリ回路２２は記録時に音声信号などを増幅する増幅回路と、増幅した音声信号を半導体メモリに記録するために信号処理をなす処理回路と、半導体メモリから読み出した記録信号を音声信号にしてスピーカー２１に送る処理回路とを具えている。
【００１４】
この実施例で、半導体メモリ２２には、例えば「朝、昼、晩の薬の服用を忘れずに」、「軽い運動を忘れずに」、「１万歩のウォーキングを忘れずに」などのメッセージが予め録音されていて、容器の開閉がなされる毎に携帯者に諸種の注意喚起をなすようになっている。    
また、子供向けには例えば童謡や時節によりクリスマスソングなどを記録する。
【００１５】
前記半導体メモリ２２は電池電源２３から電源電圧を与えるだけで再生モードになるためスイッチング動作用のトランジスタ２４をオンとして再生モードに移行させる。トランジスタ２４は蓋３内部に設けた動作スイッチ２５の閉成によりオンとなる構成を有している。  すなわち、トランジスタ２４のベース回路には動作スイッチ２５蓋３の開きにより閉成するスイッチ２６が接続され、スイッチ２６の閉成時に動作スイッチ２５が閉成した時にトランジスタ２４がオンとなり半導体メモリ２２は再生モードとなる。
【００１６】
図４は、蓋３の中に収納された請求項３の実施例に係る音響録音再生装置４１を示す回路図である。
この装置回路の主要構成は前記の図３に示すものと同様であるので、重複部分を省略して説明する。
【００１７】
この回路構成において、半導体メモリ回路２２は、電池電源２３より電源電圧を与える
スイッチ２７ａとメモリ指令スイッチ２７ｂとを閉成させることによって録音モ−ドとなる。つまり、これらスイッチ２７ａ、２７ｂは蓋３の押圧操作によって共に閉成する連動スイッチとなっており、これらスイッチ２７ａ、２７ｂを閉成させて録音モ−ドに移行させる。
【００１８】
なお、トランジスタ２４のエミッタ〜コレクタ間に接続したスイッチ２８ａは録音確認ノブ（不図示）の押下操作で閉成するスイッチで、このスイッチ２８ａを閉成させて半導体メモリ回路１８の記録を読み出し、録音内容を確認する。
【００１９】
この実施例では、マイクロフォンとスピ−カ−とに兼用できる音響入出力器３１を備え、切換スイッチ３２を切換えて音響入力し、また、音響出力させる構成となっている。
切換スイッチ３２は常時端子ａに投入されており、この状態で上記実施例同様に音響入力し音響入出力器３１から出力する音響信号を半導体メモリ回路２２に記録させる。
蓋３を開くと、応動スイッチ２５の閉成に伴って切換スイッチ３２がｂ端子に切換えられ、音響入出力器３１から半導体メモリ回路２２の記録内容が音響出力されることになる。
【００２０】
この実施例に係る携帯容器は、前述の実施例に係る作用に加えて、種々の事項を口述して簡単に録音できるから、あたかもメモ帳に記録するように必要事項を次々に記録して必要時にこれらの内容を読み出すことができる。
【図面の簡単な説明】
【００２１】
【図１】蓋を閉じた状態にある携帯容器１の斜視図である。
【図２】蓋を開いた状態にある携帯容器１の斜視図である。
【図３】蓋３の中に収納された請求項１の実施例に係る前記録音再生装置４を示す回路図である。
【図４】蓋３の中に収納された請求項３の実施例に係る音響録音再生装置４１を示す回路図である。
【符号の説明】
【００２２】
１．．．．．．．携帯容器
２．．．．．．．容器本体
３．．．．．．．蓋
４．．．．．．．録音再生装置４を示す回路図である。
４１．．．．．音響録音再生装置４１を示す回路図である。
【図１】
0003199036.tif 000003
【図２】
0003199036.tif 000004
【図３】
0003199036.tif 000005
【図４】
0003199036.tif 000006
【手続補正書】
【提出日】平成27年6月2日(2015.6.2)
【手続補正１】
【補正対象書類名】実用新案登録請求の範囲
【補正対象項目名】請求項１
【補正方法】変更
【補正の内容】
【請求項１】
断面をハート形状となし菓子、薬剤その他の小物類を収納する容器本体と同じく断面をハート形状となす蓋とからなり、蓋又は容器本体のいずれかには前記蓋の開閉によりスイッチのオン・オフがなされるスイッチング手段を有する録音再生装置が設けられていて、この録音再生装置はスピーカーと、前記蓋のスイッチングにより半導体メモリ回路に記録された音響信号を読み出してスピーカーより音響出力させ、又は音響出力を停止する再生手段とにより構成したことを特徴とする携帯容器。